(57)【要約】【課題】トーションバー上のアルミニウム配線の物性変化に起因するアクチュエータの駆動特性の変化を抑制することによりプレーナ型アクチュエータの経時的安定性を向上させる。【解決手段】トーションバー３に不純物拡散による拡散導通部９を形成し、拡散導通部９上にトーションバー３の軸方向で複数に分断した配線パターンのアルミニウム配線６を配置する。これにより、アルミニウム配線の捩れ剛性がトーションバー全体の捩れ剛性に及ぼす影響を小さくでき、アルミニウム配線の捩れ剛性が変化してもアクチュエータの駆動特性の変化を抑制できるようになる。【選択図】図２
2010098905.tif 000002
【特許請求の範囲】
【請求項１】
固定部と、可動部と、前記固定部に前記可動部を揺動可能に軸支するトーションバーとを、半導体基板で形成し、前記可動部に設けた電気要素に電気的に接続する導電性を有する配線を、前記トーションバー上に形成する構成としたプレーナ型アクチュエータにおいて、
前記トーションバー上の前記導電性を有する配線の配線パターンを、前記導電性を有する配線の捩れ剛性が当該導電性を有する配線も含めたトーションバー全体の捩れ剛性に及ぼす影響が小さくなるような配線パターンとしたことを特徴とするプレーナ型アクチュエータ。
【請求項２】
前記導電性を有する配線の配線パターンが、前記トーションバーの捩れ運動に伴って前記導電性を有する配線に発生する剪断応力が、均質に連続する単一配線の配線パターンより小さくなるような配線パターンとした請求項１に記載のプレーナ型アクチュエータ。
【請求項３】
前記導電性を有する配線の配線パターンは、当該導電性を有する配線をトーションバーの軸方向で複数に分断する配線パターンであり、前記分断部分を補助導通部を設けて電気的に導通させる構成である請求項１又は２に記載のプレーナ型アクチュエータ。
【請求項４】
前記補助導通部が、前記トーションバーの半導体材料に不純物を拡散させて形成した拡散導通部である請求項３に記載のプレーナ型アクチュエータ。
【請求項５】
前記補助導通部が、前記導電性を有する配線より捩れ剛性の高い金属である請求項３に記載のプレーナ型アクチュエータ。
【請求項６】
前記補助導通部を、前記導電性を有する配線の少なくとも前記分断部分が位置するトーションバー部分に形成する構成とした請求項４又は５に記載のプレーナ型アクチュエータ。
【請求項７】
前記補助導通部を、トーションバーの軸方向に沿って前記可動部から前記固定部にかけて形成し、前記補助導通部上に前記導電性を有する配線を配置する構成とした請求項６に記載のプレーナ型アクチュエータ。
【請求項８】
前記配線パターンは、前記導電性を有する配線をトーションバーの幅方向で複数に分割する配線パターンである請求項１又は２に記載のプレーナ型アクチュエータ。
【請求項９】
前記複数に分割した導電性を有する配線の互いに隣接する配線間を電気的に接続する構成である請求項８に記載のプレーナ型アクチュエータ。
【請求項１０】
前記導電性を有する配線の配線パターンが、当該導電性を有する配線を略千鳥格子状に形成する配線パターンであり、前記トーションバーの軸方向に沿って前記可動部から前記固定部にかけて不純物拡散により形成した導通領域上に、前記略千鳥格子状の前記導電性を有する配線を配置し、該略千鳥格子状の前記導電性を有する配線間を前記導通領域を補助導通部として電気的に接続する構成とした請求項１又は２に記載のプレーナ型アクチュエータ。
【請求項１１】
前記電気要素が、駆動コイルであり、該駆動コイルに前記導電性を有する配線を介して電流を供給することにより発生する駆動力で、前記可動部を前記トーションバーの軸回りに駆動する構成である請求項１〜１０のいずれか１つに記載のプレーナ型アクチュエータ。
【請求項１２】
前記導電性を有する配線は、金属配線である請求項１〜１１のいずれか１つに記載のプレーナ型アクチュエータ。
【発明の詳細な説明】
【技術分野】
【０００１】
本発明は、半導体製造技術を利用して製造するプレーナ型アクチュエータに関し、特に、トーションバー軸回りに可動部を駆動するアクチュエータの可動部駆動特性の安定化を図る技術に関する。
【背景技術】
【０００２】
従来、この種のプレーナ型アクチュエータとして、例えば特許文献１に記載された電磁駆動式のプレーナ型アクチュエータがある。このアクチュエータは、半導体基板を異方性エッチングして、枠状の固定部と、可動部と、固定部に可動部を揺動可能に軸支するトーションバーとを一体形成し、可動部に駆動コイルを設け、トーションバーの軸方向と平行な可動部両端縁部の駆動コイル部分に静磁界を作用させる静磁界発生手段（例えば永久磁石）を設けて構成される。そして、外部の駆動回路から駆動コイルに電流を供給し、駆動コイルを流れる電流と永久磁石の静磁界との相互作用により発生する駆動力（ローレンツ力）により可動部をトーションバーの軸回りに駆動する。可動部に反射ミラーを設ければ、可動部を揺動駆動することで反射ミラーに照射した光ビームの反射光を走査できるので、光スキャナやレーザプロジェクタ等の光デバイスにおける光走査用アクチュエータとして好適である。
【特許文献１】特開２００７−２９５７８０号公報
【発明の開示】
【発明が解決しようとする課題】
【０００３】
ところで、可動部に駆動コイル等の電気要素があるこの種のアクチュエータでは、外部回路から可動部の電気要素に電力を供給するために、トーションバー上に導電性を有する配線として例えば金属配線を形成する。この場合、可動部の駆動特性（共振周波数等）は、金属配線を含めたトーションバー全体（トーションバーを形成する半導体基板材料と金属配線）の捩れ剛性で決まり、金属配線の捩れ剛性の影響を受ける。前記金属配線には、一般にアルミニウム配線を用いているが、アルミニウム配線は、可動部駆動時のトーションバーの捩れ運動の繰返しにより発生する剪断応力によりストレスマイグレーションが生じてボイドが発生し、アルミニウム配線の物性変化により捩れ剛性が変化する。このアルミニウム配線の剛性変化の影響によりアクチュエータの可動部駆動特性が経時的に変化する虞れがある。
【０００４】
従来、トーションバー上のアルミニウム配線は、均質に連続させた単一の配線パターンが一般的である。かかる従来の配線パターンの場合、トーションバーの捩れ運動に伴ってアルミニウム配線に発生する剪断応力が大きい。言い換えれば、従来の配線パターンではアルミニウム配線の捩れ剛性が大きく、前述したアルミニウム配線の剛性変化がトーションバー全体の捩れ剛性に及ぼす影響が大きい。このため、アルミニウム配線の剛性変化によるアクチュエータの可動部駆動特性（共振周波数等）の経時的な変化も大きくなるという問題がある。
【０００５】
本発明は上記問題点に着目してなされたもので、トーションバー上の導電性を有する配線の配線パターンを工夫することにより、導電性を有する配線の捩れ剛性変化がトーションバー全体の捩れ剛性に及ぼす影響を低減し、以って、アクチュエータの可動部駆動特性の経時的安定性を向上させたプレーナ型アクチュエータを提供することを目的とする。
【課題を解決するための手段】
【０００６】
このため、本発明は、固定部と、可動部と、前記固定部に前記可動部を揺動可能に軸支するトーションバーとを、半導体基板で形成し、前記可動部に設けた電気要素に電気的に接続する導電性を有する配線を、前記トーションバー上に形成する構成としたプレーナ型アクチュエータにおいて、前記トーションバー上の前記導電性を有する配線の配線パターンを、導電性を有する配線の捩れ剛性が当該導電性を有する配線も含めたトーションバー全体の捩れ剛性に及ぼす影響が小さくなるような配線パターンとしたことを特徴とするプレーナ型アクチュエータ。
【０００７】
かかる構成では、導電性を有する配線の捩れ剛性が当該導電性を有する配線も含めたトーションバー全体の捩れ剛性に及ぼす影響が小さくなるような配線パターンとすることにより、トーションバーの捩れ運動の繰返しにより導電性を有する配線の捩れ剛性が変化しても、導電性を有する配線も含めたトーションバー全体の剛性変化を抑制できるようになり、可動部の駆動特性（共振周波数等）の経時的な変化を抑制できるようになる。
【０００８】
具体的には、請求項２のように、前記導電性を有する配線の配線パターンが、前記トーションバーの捩れ運動に伴って前記導電性を有する配線に発生する剪断応力が、均質に連続する単一配線の配線パターンより小さくなるような配線パターンとするとよい。この場合、例えば、請求項３のように、前記導電性を有する配線の配線パターンは、当該導電性を有する配線をトーションバーの軸方向で複数に分断する配線パターンであり、前記分断部分を補助導通部を設けて電気的に導通させる構成とするとよい。また、請求項８のように、前記配線パターンは、導電性を有する配線をトーションバーの幅方向で複数に分割する配線パターンとしてもよい。
【０００９】
請求項３の構成において、請求項４のように、前記補助導通部は、前記トーションバーの半導体材料に不純物を拡散させて形成した拡散導通部及び前記導電性を有する配線より捩れ剛性の高い金属のいずれか一方で形成するとよい。また、請求項５のように、前記補助導通部が、前記導電性を有する配線より捩れ剛性の高い金属としてもよい。請求項４又は請求項５の構成において、請求項６のように、前記補助導通部を、前記導電性を有する配線の少なくとも前記分断部分が位置するトーションバー部分に形成する構成とすればよい。更に、好ましくは、請求項７のように、前記補助導通部を、トーションバーの軸方向に沿って前記可動部から前記固定部にかけて形成し、前記補助導通部上に前記導電性を有する配線を配置する構成とするとよい。
【００１０】
請求項８の構成において、請求項９のように、前記複数に分割した導電性を有する配線の互いに隣接する配線間を電気的に接続する構成とするとよい。
【００１１】
請求項１又は２の構成において、請求項１０のように、前記導電性を有する配線の配線パターンが、当該導電性を有する配線を略千鳥格子状に形成する配線パターンであり、前記トーションバーの軸方向に沿って前記可動部から前記固定部にかけて不純物拡散により形成した導通領域上に、前記略千鳥格子状の前記導電性を有する配線を配置し、該略千鳥格子状の前記導電性を有する配線間を前記導通領域を補助導通部として電気的に接続する構成としてもよい。
【００１２】
請求項１１のように、アクチュエータは、前記電気要素が、駆動コイルであり、該駆動コイルに前記導電性を有する配線を介して電流を供給することにより発生する駆動力で、前記可動部を前記トーションバーの軸回りに駆動する構成である。
また、請求項１２のように、前記導電性を有する配線を金属配線とするとよい。
【発明の効果】
【００１３】
かかる本発明のプレーナ型アクチュエータによれば、導電性を有する配線の配線パターンを、導電性を有する配線の捩れ剛性が当該導電性を有する配線も含めたトーションバー全体の捩れ剛性に及ぼす影響が小さい配線パターンとすることで、トーションバーの捩れ運動の繰返しにより導電性を有する配線の捩れ剛性が変化しても、導電性を有する配線も含めたトーションバー全体の捩れ剛性の変化を抑制できる。従って、アクチュエータの可動部駆動特性（共振周波数等）の経時的変化を抑制でき、アクチュエータの可動部駆動特性安定性を高めることができ、この種のアクチュエータの信頼性を向上できる。
【発明を実施するための最良の形態】
【００１４】
以下、本発明の実施形態を図面に基づいて説明する。
図１に、本発明に係るプレーナ型アクチュエータの一実施形態の概略構成を示す。
図１に示すアクチュエータ１は、半導体製造技術を利用して製造した電磁駆動式のプレーナ型アクチュエータである。
【００１５】
図１において、このアクチュエータ１は、枠状の固定部２に一対のトーションバー３，３を介して揺動可能に可動部４を軸支する。固定部２、トーションバー３，３及び可動部４は、半導体基板を用いて一体に形成される。可動部４には、可動部４周縁部に通電により磁界を発生する電気要素としての駆動コイル５を形成する。駆動コイル５は、トーションバー３，３上に形成した導電性を有する配線として例えばアルミニウム配線６，６を介して固定部２に形成した一対の電極端子７，７に電気的に接続する。電極端子７，７は図示しない外部の駆動回路に例えばワイヤーボンディング等により電気的に接続される。また、例えば、トーションバー３，３の軸方向と平行な可動部対辺部と対面する固定部２の外方には、トーションバー３，３の軸方向と平行な可動部対辺部の駆動コイル５部分に静磁界を作用する静磁界発生手段である一対の例えば永久磁石８，８が、互いに反対磁極を対向して配置されている。尚、永久磁石８，８に代えて電磁石を用いてもよい。
【００１６】
前記トーションバー３，３上のアルミニウム配線６，６の配線パターンは、アルミニウム配線６，６の捩れ剛性がアルミニウム配線６，６も含めたトーションバー全体（アルミニウム配線とトーションバーを形成する半導体基板材料）の捩れ剛性に及ぼす影響が小さくなるような配線パターンとしてある。具体的には、トーションバーの捩れ運動に伴ってアルミニウム配線６，６に発生する剪断応力が、均質に連続する単一のアルミニウム配線を配線した従来の配線パターンの場合より小さくなるような配線パターンである。
【００１７】
図２に、本実施形態のアクチュエータ１のトーションバー部分の拡大図を示す。尚、図２は、図１の右側のトーションバー部分を示してある。
【００１８】
本実施形態は、トーションバーの捩れ運動に伴ってアルミニウム配線６，６に発生する剪断応力が、均質に連続する単一のアルミニウム配線を配線した従来の配線パターンの場合より小さくなるような配線パターンとして、図２に示すように、アルミニウム配線６をトーションバー３の軸方向で複数に分断した配線パターンとした。この場合、アルミニウム配線６の分断部分は電気的に非導通状態となるので、かかる分断部分を補助導通部を設けて導通させている。本実施形態では、トーションバー３の軸方向に沿って可動部４から固定部２にかけて、半導体基板材料に不純物を拡散させて形成した拡散導通部９を前記補助導通部として形成し、この拡散導通部９上にアルミニウム配線６を図２のように配置する構成とした。トーションバー３側のアルミニウム配線６の可動部側端部は、前記拡散導通部９を介して駆動コイル５のコンタクト部５Ａ（図１に示す）に電気的に接続している。尚、図１の左側のトーションバー３のアルミニウム配線６の可動部側端部は、図１に示すように駆動コイル５と直接電気的に接続している。また、トーションバー３の軸方向における分断箇所は、少なくとも１箇所以上あればよい。
【００１９】
図２のアルミニウム配線パターンの形成工程を図３及び図４に基づいて簡単に説明する。尚、図３は、図１のＸ−Ｘ矢視断面図である。
【００２０】
工程（ａ）では、例えば半導体基板としてＳＯＩ基板１００を準備し、このＳＯＩ基板１００の両面に、例えば酸化炉によって酸化膜（ＳｉＯ2膜）１０１ａ，１０１ｂを形成する。尚、ＳＯＩ基板１００は、例えばシリコン活性層１００ａと、埋め込み酸化膜１００ｂと、シリコン支持基板層１００ｃを積層した構造である。
【００２１】
次に、工程（ｂ）において、拡散導通部９を形成する。酸化膜１０１ａの拡散導通部形成領域に相当する部分を除去し、不純物イオンの注入或いは熱拡散によって拡散導通部９を形成する。
【００２２】
次に、工程（ｃ）において、工程（ｂ）で形成した拡散導通部９上に、工程（ａ）と同様にして酸化膜（ＳｉＯ2膜）を形成する。
【００２３】
次に、工程（ｄ）において、ＳＯＩ基板１００裏面の酸化膜１０１ｂを除去した後、酸化膜１０１ａのアルミニウム配線と拡散導通部９の接触部以外の部分をマスクし、酸化膜をエッチング除去する。
【００２４】
次に、工程（ｅ）において、ＳＯＩ基板１００の略全面にアルミニウムの薄膜を例えばスパッタリング等により形成し、駆動コイル５、アルミニウム配線６、電極端子７及びコンタクト部５Ａにそれぞれ相当する部分を、ポジ型レジストでマスクしてアルミニウム薄膜をエッチングし、ポジ型レジストを除去する。これにより、駆動コイル５、電極端子７、図２に示す配線パターンのアルミニウム配線６、コンタクト部５Ａを形成する。
【００２５】
次に、工程（ｆ）において、電極端子７部分を除いて、駆動コイル５及びアルミニウム配線６上に例えば感光性ポリイミド等の絶縁物質による保護膜１０２を形成する。
【００２６】
その後、図示しないが、従来と同様にしてＳＯＩ基板１００の所定領域をエッチング除去し、固定部２、可動部４及びトーションバー３，３を形成し、アクチュエータ１が形成される。
【００２７】
かかる構成のアクチュエータ１によれば、トーションバー３，３上のアルミニウム配線６，６の捩れ剛性が低下し、アルミニウム配線６，６がアルミニウム配線も含めたトーションバー全体の捩れ剛性に及ぼす影響を従来の配線パターンより小さくできる。従って、トーションバー３，３の捩れ運動の繰返しによるストレスマイグレーションに起因したアルミニウム配線６，６の捩れ剛性が変化したとしても、アルミニウム配線も含めたトーションバー全体の捩れ剛性の変化を抑制できる。このため、可動部４の駆動特性（共振周波数等）の経時的な変化が少なく、アクチュエータ１の駆動特性の経時的安定性を高めることができ、アクチュエータ１の性能信頼性を向上できる。
【００２８】
また、駆動コイル５の内側端部とアルミニウム配線６とを接続するために従来では駆動コイルを２層構造にする必要があったが、本実施形態のように拡散導通部９によって駆動コイル５のコンタクト部５Ａとアルミニウム配線６とを接続する構成とすれば、駆動コイル５を１層構造で形成することができる利点がある。更に、可動部４から固定部２にかけてトーションバー３，３の全域に不純物を拡散させて拡散導通部９を形成し、拡散導通部９上にアルミニウム配線６,６を配置する構成としたので、例えば可動部４の駆動中にアルミニウム配線部分が万が一断線したとしても、拡散導通部９を介して駆動コイル５と外部回路との導通を維持でき、可動部４の駆動を継続できるので、アクチュエータ１の信頼性を高めることができる。
【００２９】
上記実施形態は、配線パターンを、１本のアルミニウム配線６，６をトーションバー３，３の軸方向で複数に分断する構成としたが、図５に示すように、トーションバー３，３の軸方向で複数に分断したアルミニウム配線を、更にトーションバー３，３の幅方向で複数に分割して複数本の分断アルミニウム配線を並設した配線パターンとしてもよい。ここで、トーションバーの幅方向とは、トーションバーの軸方向に対して直角方向であり、従って、トーションバーの幅方向で複数に分割するとは、トーションバー上のアルミニウム配線をトーションバーの軸方向に沿って複数に分割することと対応している。
【００３０】
図６に、トーションバー３，３上のアルミニウム配線パターンについて、アルミニウム配線のトーションバー軸方向の分断数及びアルミニウム配線のトーションバー幅方向の分割数（図中、ラインとしてある）とアルミニウム配線に発生する剪断応力（図中、実線で示す）及び可動部４の共振周波数（図中、一点鎖線で示す）との関係についてのシミュレート結果を示す。
【００３１】
図６中の従来パターンとは、均質に連続させた１本のアルミニウム配線をトーションバー上に配線した場合である。また、配線なしとは、トーションバー上にアルミニウム配線をしない場合である。図中の実線で示す剪断応力は、アルミニウム配線自体に発生する剪断応力を示したもので、図中の一点鎖線で示す可動部４の共振周波数は、対応する配線パターンのアルミニウム配線をトーションバー上に形成した場合の共振周波数を示している。
【００３２】
図６から、従来の配線パターンに比べてアルミニウム配線を分割及び／又は分断した配線パターンとした場合の方が、アルミニウム配線に発生する剪断応力が小さいなることが分かる。また、分断数及び分割数（ライン数）が多い方が剪断応力が小さくなる傾向にあることが分かる。また、発生する剪断応力が小さい配線パターンの時の可動部４の共振周波数は、アルミニウム配線のない場合のトーションバー（半導体基板材料）の共振周波数に近づくようになることが分かる。以上から、発生する剪断応力が小さい配線パターンとすることにより、アルミニウム配線の捩れ剛性が変化してもその変化幅は小さく、アクチュエータ１の可動部駆動特性の経時的変化が抑制できることがわかる。
【００３３】
図７に、アルミニウム配線をトーションバー３，３の軸方向で複数に分断し、分断部分の導通を補助導通部９で補う必要のある配線パターンのいくつかの変形例を示す。
図７の（ａ）の配線パターンは、拡散導通部９上にアルミニウム配線６を千鳥格子状に配置したものである。
【００３４】
（ｂ）は、拡散導通部９上にアルミニウム配線６を格子状に配置したものである。
【００３５】
（ｃ）は、拡散導通部９上にアルミニウム配線６を多角形形状にして所定間隔を設けて配置したものである。
【００３６】
（ｄ）は、拡散導通部９上にアルミニウム配線６を三角形形状にして所定間隔を設けて配置したものである。
【００３７】
（ｅ）も、拡散導通部９上にアルミニウム配線６を円形形状にして所定間隔を設けて配置したものである。
【００３８】
尚、図２、図５及び図７に示す各配線パターンでは、可動部４から固定部２にかけてトーションバー３，３の全域に不純物を拡散させて拡散導通部９を形成する構成を示したが、拡散導通部９は、電気的に非導通であるアルミニウム配線の分断部分に少なくとも設け、分断部分を互いに電気的に導通状態とするようにすればよいことは言うまでもない。
【００３９】
また、補助導通部をアルミニウムより捩れ剛性の高い金属、例えばチタン等で形成してもよい。この場合、チタン等は、アルミニウムのようにトーションバーの捩れ運動の繰返しによる物性変化がほとんどないので、その捩れ剛性の経時的変化が少ない。このため、可動部の駆動特性の経時的変化も少なく、この種のプレーナ型アクチュエータにおける可動部の駆動特性の経時的安定性を得ることができる。
【００４０】
上記実施形態では、トーションバー３，３の捩れ運動に伴ってアルミニウム配線６，６に発生する剪断応力が従来の配線パターンより小さくなる配線パターンとして、アルミニウム配線６，６をトーションバー３，３の軸方向で複数(少なくとも２本)に分断する構成としたが、アルミニウム配線６，６に発生する剪断応力が従来の配線パターンより小さくなる配線パターンとして、トーションバー３，３の幅方向で複数に分割する配線パターンとしてもよい。この配線パターンによれば、駆動コイル５側から電極端子７側までアルミニウム配線が連続形成されるので、前述の実施形態のような分断部分が存在せず補助導通部は不要である。
【００４１】
図８に、アルミニウム配線をトーションバー３，３の幅方向で複数に分割する配線パターン、言い換えれば、トーションバー３，３の軸方向に沿って複数に分割する配線パターンの例を示す。
【００４２】
図８の（ａ）は、アルミニウム配線をトーションバー３，３の幅方向で単純に複数に分割した配線パターンである。尚、図では５分割した配線パターンを示したが、２分割以上であればよい。
【００４３】
（ｂ）は、複数に分割したアルミニウム配線の互いに隣接するアルミニウム配線間を直線的に格子に接続した配線パターンである。
【００４４】
（ｃ）は、複数に分割したアルミニウム配線の互いに隣接するアルミニウム配線間の接続配線を交互にずらした配線パターンである。
【００４５】
（ｄ）は、複数に分割したアルミニウム配線の互いに隣接するアルミニウム配線間の接続配線を斜めに設けた配線パターンである。
【００４６】
（ｅ）は、複数に分割したアルミニウム配線の互いに隣接するアルミニウム配線間の接続配線を斜めに設け、且つ、接続配線の斜めの向きを交互に逆にした配線パターンである。
【００４７】
また、トーションバー３，３の捩れ運動に伴ってアルミニウム配線６，６に発生する剪断応力が従来の配線パターンより小さくなる配線パターンのその他の例として、図９に示すような配線パターンが考えられる。
【００４８】
図９の（ａ）は、ダイヤ形状の配線パターンである。
【００４９】
（ｂ）は、トーションバー３上に形成したアルミニウム薄膜を部分的に多角形形状に抜いた配線パターンである。
【００５０】
（ｃ）は、アルミニウム薄膜を部分的に三角形形状に抜いた配線パターンである。
【００５１】
（ｄ）は、アルミニウム薄膜を部分的に円形形状に抜いた配線パターンである。
【００５２】
（ｅ）は、（ｂ）の配線パターンの逆で、多角形形状のアルミニウム薄膜を互いに接続配線で接続した配線パターンである。
【００５３】
（ｆ）は、（ｃ）の配線パターンの逆で、三角形形状のアルミニウム薄膜を互いに接続配線で接続した配線パターンである。
【００５４】
（ｇ）は、（ｄ）の配線パターンの逆で、円形形状のアルミニウム薄膜を互いに接続配線で接続した配線パターンである。
【００５５】
上記実施形態では、トーションバー上に配線する導電性を有する配線としてアルミニウム配線の例を示したが、金、銀や銅等の金属で、かつ、トーションバーの捩れ運動の繰返しにより物性変化する配線に本発明を適用しても同様の効果を有することは言うまでもない。
【００５６】
また、上記実施形態では、電磁駆動式のアクチュエータに適用した例を示したが、本発明の適応が可能なアクチュエータは、これに限らず、可動部に電気要素を備えてトーションバー上にアルミニウム配線を設けるアクチュエータであれば、静電駆動式、圧電駆動式等、いかなる駆動方式のアクチュエータでも適用できる。
【００５７】
また、外側トーションバーで軸支した外側可動部と、外側トーションバーと軸方向が互いに直交する内側トーションバーで前記外側可動部に軸支した内側可動部を備え、内側可動部を２次元的に駆動可能なアクチュエータにも適用できる。
【図面の簡単な説明】
【００５８】
【図１】本発明に係るプレーナ型アクチュエータの一実施形態を示す平面図
【図２】同上実施形態のトーションバー部分の拡大図
【図３】アルミニウム配線の形成工程の説明図
【図４】図３に続くアルミニウム配線の形成工程の説明図
【図５】トーションバー軸方向で分断するアルミニウム配線パターンの別の例を示す図
【図６】アルミニウム配線パターンとアルミニウム配線の剪断応力とアクチュエータの共振周波数との関係を示すグラフ
【図７】トーションバー軸方向で複数に分断し補助導通部を必要とする配線パターンの更に別の例を示す図
【図８】アルミニウム配線をトーションバーの幅方向で複数に分割する配線パターンの例を示す図
【図９】アルミニウム配線に発生する剪断応力を従来の配線パターンより小さくする配線パターンの他の例を示す図
【符号の説明】
【００５９】
１    アクチュエータ
２    固定部
３，３    トーションバー
４    可動部
５    駆動コイル
６，６    アルミニウム配線
７    電極端子
８，８    永久磁石
９    拡散導通部
【図１】
2010098905.tif 000003
【図２】
2010098905.tif 000004
【図３】
2010098905.tif 000005
【図４】
2010098905.tif 000006
【図５】
2010098905.tif 000007
【図６】
2010098905.tif 000008
【図７】
2010098905.tif 000009
【図８】
2010098905.tif 000010
【図９】
2010098905.tif 000011